(57)【特許請求の範囲】
【請求項１】
特定ユーザおよび参加ユーザが使用する複数のクライアント端末とネットワークを介して通信可能なサーバー装置を有する会議支援システムであって、
前記サーバー装置は、
特定ユーザおよび参加ユーザのクライアント端末が共通してアクセス可能な共通チャネルを生成する共通チャネル生成手段と、
複数の参加ユーザが所定のグループごとにグループワークを行うための、複数のサブチャネルを生成するサブチャネル生成手段と、
前記複数の参加ユーザのクライアント端末を、前記複数のサブチャネルのいずれかにそれぞれ対応付けてグループ化し、対応するサブチャネルにアクセス可能とするアクセス制御手段と、
前記各サブチャネルにおける複数の参加ユーザによるグループワークの状況を示すグループワーク情報を取得するグループワーク情報取得手段と、
前記複数のサブチャネルの前記グループワーク情報を、前記特定ユーザのクライアント端末に同時に表示させる表示制御手段と、を有し、
前記表示制御手段は、前記特定ユーザのクライアント端末の表示画面を前記サブチャネルの数に応じて分割して分割領域とし、前記複数のサブチャネルの前記グループワーク情報を前記分割領域にそれぞれ表示させる、会議支援システム。
【請求項２】
前記グループワーク情報取得手段は、前記グループワークにおける参加ユーザの発言に関するデータ、共有されている資料またはホワイトボートに関するデータ、および、チャットに関するデータのうち、いずれか１つ以上を、前記グループワーク情報として取得する、請求項１に記載の会議支援システム。
【請求項３】
特定ユーザおよび参加ユーザのネットワークを介した会議を支援するように、コンピューターに処理を実行させるプログラムであって、
特定ユーザおよび参加ユーザのクライアント端末が共通してアクセス可能な共通チャネルを生成する共通チャネル生成処理と、
複数の参加ユーザが所定のグループごとにグループワークを行うための、複数のサブチャネルを生成するサブチャネル生成処理と、
前記複数の参加ユーザのクライアント端末を、前記複数のサブチャネルのいずれかにそれぞれ対応付けてグループ化し、対応するサブチャネルにアクセス可能とするアクセス制御処理と、
前記各サブチャネルにおける複数の参加ユーザによるグループワークの状況を示すグループワーク情報を取得するグループワーク情報取得処理と、
前記複数のサブチャネルの前記グループワーク情報を、前記特定ユーザのクライアント端末に同時に表示させる表示制御処理と、を前記コンピューターに実行させ、
前記表示制御処理において、前記特定ユーザのクライアント端末の表示画面を前記サブチャネルの数に応じて分割して分割領域とし、前記複数のサブチャネルの前記グループワーク情報を前記分割領域にそれぞれ表示させる、会議支援プログラム。
【請求項４】
特定ユーザおよび参加ユーザが使用する複数のクライアント端末とネットワークを介して通信可能なサーバー装置を用いて、遠隔にある特定ユーザおよび参加ユーザの間で行う会議を支援する会議支援方法であって、
特定ユーザおよび参加ユーザのクライアント端末が共通してアクセス可能な共通チャネルを生成し、
複数の参加ユーザが所定のグループごとにグループワークを行うための、複数のサブチャネルを生成し、
前記複数の参加ユーザのクライアント端末を、前記複数のサブチャネルのいずれかにそれぞれ対応付けてグループ化し、対応するサブチャネルにアクセス可能とし、
前記各サブチャネルにおける複数の参加ユーザによるグループワークの状況を示すグループワーク情報を取得し、
前記特定ユーザのクライアント端末の表示画面を前記サブチャネルの数に応じて分割して分割領域とし、前記複数のサブチャネルの前記グループワーク情報を前記分割領域にそれぞれ同時に表示する、会議支援方法。
【発明の詳細な説明】
【技術分野】
【０００１】
本発明は、複数のユーザがネットワークを介して行うネットワーク会議を支援するための会議支援システム、会議支援プログラム、および会議支援方法に関する。
【背景技術】
【０００２】
従来、複数のユーザがネットワーク上で参加できるネットワーク会議システムが知られている。このようなネットワーク会議システムにおいて、複数のユーザをネットワーク上で２以上のグループに分け、各グループでグループワークを行わせることが可能なシステムが知られている（たとえば特許文献１参照）。
【先行技術文献】
【特許文献】
【０００３】
【特許文献１】特開２００３−２８４０１８号公報
【発明の概要】
【発明が解決しようとする課題】
【０００４】
しかしながら、従来技術では、教師、講師、司会者などの特定ユーザが、各グループにおけるグループワークの状況を把握するためには、各グループに割り当てられたチャネルにそれぞれアクセスする必要があり、２以上のグループのグループワークの状況を一括して同時に把握することができないという問題があった。
【０００５】
本発明の目的は、特定ユーザに、２以上のグループにおけるグループワークの状況を一括して同時に把握させることができる、会議支援システム、会議支援プログラムおよび会議支援方法を提供することである。
【課題を解決するための手段】
【０００６】
本発明に係る会議支援システムは、特定ユーザおよび参加ユーザが使用する複数のクライアント端末とネットワークを介して通信可能なサーバー装置とを有する会議支援システムであって、前記サーバー装置は、特定ユーザおよび参加ユーザのクライアント端末が共通してアクセス可能な共通チャネルを生成する共通チャネル生成手段と、複数の参加ユーザが所定のグループごとにグループワークを行うための、複数のサブチャネルを生成するサブチャネル生成手段と、前記複数の参加ユーザのクライアント端末を、前記複数のサブチャネルのいずれかにそれぞれ対応付けてグループ化し、対応するサブチャネルにアクセス可能とするアクセス制御手段と、前記各サブチャネルにおける複数の参加ユーザによるグループワークの状況を示すグループワーク情報を取得するグループワーク情報取得手段と、前記複数のサブチャネルにおける複数の前記グループワーク情報を、前記特定ユーザのクライアント端末に同時に表示させる表示制御手段と、を有し、前記表示制御手段は、前記特定ユーザのクライアント端末の表示画面を前記サブチャネルの数に応じて分割して分割領域とし、前記複数のサブチャネルの前記グループワーク情報を前記分割領域にそれぞれ表示させる。
上記会議支援システムにおいて、前記グループワーク情報取得手段は、前記グループワークにおける参加ユーザの発言に関するデータ、共有されている資料またはホワイトボートに関するデータ、および、チャットに関するデータのうち、いずれか１つ以上を、前記グループワーク情報として取得するように構成することができる。
本発明に係る会議支援プログラムは、特定ユーザおよび参加ユーザのネットワークを介した会議を支援するように、コンピューターに処理を実行させるプログラムであって、特定ユーザおよび参加ユーザのクライアント端末が共通してアクセス可能な共通チャネルを生成する共通チャネル生成処理と、複数の参加ユーザが所定のグループごとにグループワークを行うための、複数のサブチャネルを生成するサブチャネル生成処理と、前記複数の参加ユーザのクライアント端末を、前記複数のサブチャネルのいずれかにそれぞれ対応付けてグループ化し、対応するサブチャネルにアクセス可能とするアクセス制御処理と、前記各サブチャネルにおける複数の参加ユーザによるグループワークの状況を示すグループワーク情報を取得するグループワーク情報取得処理と、前記複数のサブチャネルの前記グループワーク情報を、前記特定ユーザのクライアント端末に同時に表示させる表示制御処理と、を前記コンピューターに実行させ、前記表示制御処理において、前記特定ユーザのクライアント端末の表示画面を前記サブチャネルの数に応じて分割して分割領域とし、前記複数のサブチャネルの前記グループワーク情報を前記分割領域にそれぞれ表示させる。
本発明に係る会議支援方法は、特定ユーザおよび参加ユーザが使用する複数のクライアント端末とネットワークを介して通信可能なサーバー装置を用いて、遠隔にある特定ユーザおよび参加ユーザの間で行う会議を支援する会議支援方法であって、特定ユーザおよび参加ユーザのクライアント端末が共通してアクセス可能な共通チャネルを生成し、複数の参加ユーザが所定のグループごとにグループワークを行うための、複数のサブチャネルを生成し、前記複数の参加ユーザのクライアント端末を、前記複数のサブチャネルのいずれかにそれぞれ対応付けてグループ化し、対応するサブチャネルにアクセス可能とし、前記各サブチャネルにおける複数の参加ユーザによるグループワークの状況を示すグループワーク情報を取得し、前記特定ユーザのクライアント端末の表示画面を前記サブチャネルの数に応じて分割して分割領域とし、前記複数のサブチャネルの前記グループワーク情報を前記分割領域にそれぞれ同時に表示する。
【発明の効果】
【０００７】
本発明によれば、特定ユーザに、２以上のグループにおけるグループワークの状況を一括して同時に把握させることができる。
【図面の簡単な説明】
【０００８】
【図１】本実施形態に係る会議支援システムの構成図である。
【図２】本実施形態に係る会議支援システムの機能ブロック図である。
【図３】本実施形態に係る会議支援システムにおいて作成される、共通チャネルおよびサブチャネルの概念図である。
【図４】特定ユーザのクライアント端末に、複数のサブチャネルのグループワーク情報を同時表示した画面例である。
【図５】本実施形態に係る会議支援処理を示すフローチャートである。
【発明を実施するための形態】
【０００９】
以下、本発明に係る会議支援システムの実施形態を、図に基づいて説明する。なお、本発明に係る会議支援システムは、複数のユーザがネットワークを介して会議を行う場合のみに適用されるものではなく、たとえば、複数のユーザがネットワークを介して授業や研修などを行う場合にも適用することができる。
【００１０】
図１は、本実施形態に係る会議支援システム１の構成図である。図１に示すように、本実施形態に係る会議支援システム１は、特定ユーザのクライアント端末１０と、複数の参加ユーザのクライアント端末２０１〜２０ｎと、サーバー装置３０とを有する。クライアント端末１０，２０１〜２０ｎおよびサーバー装置３０は、ネットワーク４０を介して通信可能となっている。ネットワーク４０は、相互に通信可能であれば特に限定されず、インターネット回線、電話通信回線、ＬＡＮ、イントラネットなどを用いることができる。なお、以下においては、参加ユーザのクライアント端末２０１〜２０ｎを単にクライアント端末２０としても説明する。
【００１１】
特定ユーザのクライアント端末１０は、特定ユーザが使用する装置であり、パソコン、タブレット、スマートフォンなど、ネットワーク４０を介してサーバー装置３０と通信できる装置であれば、特に限定されない。特定ユーザは、クライアント端末１０を使用することで、特定ユーザの自宅や職場などから、ネットワーク４０を介してサーバー装置３０にアクセスすることができる。ここで、特定ユーザとは、たとえば教師、講師または司会者など、授業、研修または会議などを進行、またはその進行をコントロールする立場のユーザであり、特定ユーザ以外のユーザである参加ユーザの状況を把握することが望まれるユーザである。なお、本実施形態では、図１に示すように、特定ユーザを１人としているが、特定ユーザの数は１人に限定されず、２人以上とすることもできる。
【００１２】
参加ユーザのクライアント端末２０は、参加ユーザが使用する装置であり、特定ユーザのクライアント端末１０と同様に、パソコン、タブレット、スマートフォンなど、ネットワーク４０を介してサーバー装置３０と通信できる装置であれば、特に限定されない。参加ユーザも、クライアント端末２０１〜２０ｎをそれぞれ使用することで、参加ユーザの自宅などから、ネットワーク４０を介してサーバー装置３０にアクセスすることができる。ここで、参加ユーザとは、たとえば生徒、受講生または参加者などとなるユーザであり、一般に、授業、研修または会議などにおいて、特定ユーザ（教師、講師、または司会者など）の指示に従うユーザである。
【００１３】
サーバー装置３０は、単体のサーバーであってもよいし、クラウドコンピューティングサービス上に構築された仮想サーバーであってもよい。サーバー装置３０は、グループワークにおける状況を示すグループワーク情報を、特定ユーザのクライアント端末１０に同時に表示させるためのプログラムを記憶した記憶装置と、処理装置とを備え、記憶装置に記憶したプログラムを処理装置により実行することで、複数のグループのグループワーク情報を、特定ユーザのクライアント端末１０に同時に表示させることができる。
【００１４】
具体的には、サーバー装置３０は、図２に示すように、本実施形態に係る会議支援システム１を実現するために、特定ユーザおよび参加ユーザのクライアント端末１０，２０が共通してアクセス可能な共通チャネルＣＣを生成する共通チャネル生成部３１と、グループワークのために特定のグループの参加ユーザのクライアント端末２０のみがアクセス可能なサブチャネルＳＣを生成するサブチャネル生成部３２と、複数の参加ユーザのクライアント端末２０をグループ化し、グループ化した参加ユーザのクライアント端末２０を当該グループに対応するサブチャネルＳＣにアクセス可能とするアクセス制御部３３と、各サブチャネルＳＣにおける参加ユーザのグループワークの状況を示すグループワーク情報を取得するグループワーク情報取得部３４と、複数のサブチャネルＳＣのグループワーク情報を特定ユーザのクライアント端末１０に同時に表示させる表示制御部３５とを有する。以下に、サーバー装置３０の各機能について詳細に説明する。
【００１５】
共通チャネル生成部３１は、特定ユーザおよび複数の参加ユーザのクライアント端末１０，２０が共通してアクセス可能な共通チャネルＣＣを生成する。ここで、図３は、本実施形態に係る会議支援システム１において作成される共通チャネルＣＣおよびサブチャネルＳＣ１〜ＳＣｎの概念図である。本実施形態において、共通チャネルＣＣは、図３に示すように、特定ユーザおよび参加ユーザがネットワーク４０を介して会議支援システム１にログインした後に最初にアクセスするチャネルであり、本実施形態に係る会議支援システム１に参加する全てのユーザ（特定ユーザおよび参加ユーザ）がアクセス可能なチャネルである。共通チャネルＣＣ内においては、特定ユーザおよび参加ユーザは情報を交換することができ、特定ユーザおよび参加ユーザの全員で授業、研修、会議などを行うことができる。なお、共通チャネルＣＣが生成されるタイミングは、特に限定されないが、授業、研修、会議などが開始される所定時間前に、共通チャネルＣＣを予め生成しておくことが好ましい。
【００１６】
サブチャネル生成部３２は、後述するアクセス制御部３３によりグループ化された所定の参加ユーザがグループワークを行うためのサブチャネルＳＣ１〜ＳＣｎ（以下、サブチャネルＳＣ１〜ＳＣｎを単にサブチャネルＳＣともいう）を生成する。サブチャネル生成部３２により生成されるサブチャネルＳＣの数は、特に限定されず、参加ユーザの数が多い場合には、図３に示すように２以上のサブチャネルＳＣを生成してもよいし、参加ユーザの数が少ない場合には、１つのサブチャネルＳＣのみを生成してもよい。サブチャネル生成部３２は、授業、研修、会議などが開始される前に予めサブチャネルＳＣを生成してもよいし、特定ユーザの指示に基づいてサブチャネルＳＣを生成してもよい。また、参加ユーザがログインした場合に、ログインした参加ユーザの数に応じて、サブチャネルＳＣを生成する構成としてもよい。サブチャネルＳＣには、後述するアクセス制御部３３により、当該サブチャネルＳＣにそれぞれ関連付けられた参加ユーザのみがアクセスすることができ、当該サブチャネルＳＣに関連付けられていない参加ユーザはアクセスすることができない。各サブチャネルＳＣ内においては、参加ユーザ同士が、音声通話、資料やホワイトボードの共有、チャットなどを互いに行うことが可能となっている。
【００１７】
アクセス制御部３３は、複数の参加ユーザを複数のグループに分け、グループ化した参加ユーザを、サブチャネル生成部３２により生成された各サブチャネルＳＣに関連付けることで、参加ユーザを関連付けられたサブチャネルＳＣにアクセス可能とする。本実施形態では、アクセス制御部３３は、参加ユーザのＩＤと、サブチャネルＳＣ１〜ＳＣｎのＩＤとを取得し、それぞれ関連付けることで、複数の参加ユーザを特定のサブチャネルＳＣにアクセス可能とすることができる。なお、アクセス制御部３３は、どの参加ユーザをどのグループに所属させるかをランダムに、または、所定の規則に従い関連付ける構成とすることができる。さらに、アクセス制御部３３は、特定ユーザの指示に基づいて、どの参加ユーザをどのグループに所属させるかを関連付けることもできる。加えて、参加ユーザが希望するグループを選択することで、アクセス制御部３３が、参加ユーザの要望に従い、参加ユーザと当該参加ユーザが希望するサブチャネルＳＣとを関連付ける構成とすることもできる。
【００１８】
また、アクセス制御部３３は、参加ユーザがサブチャネルＳＣでグループワークを終えた後に、参加ユーザがサブチャネルＳＣから共通チャネルＣＣへとアクセス先を変更できるように、アクセス制御を行うこともできる。また、アクセス制御部３３は、参加ユーザがサブチャネルＳＣでグループワークを終えた後に、サブチャネルＳＣを消去（サブチャネルのリソースを開放）することもできる。
【００１９】
グループワーク情報取得部３４は、各サブチャネルＳＣにおける参加ユーザの状況を示すグループワーク情報を取得する。たとえば、本実施形態において、グループワーク情報取得部３４は、各サブチャネルＳＣにおける参加ユーザの発言量のデータ、グループで共有している資料やホワイトボートのデータ、チャットのデータを、グループワーク情報として、サブチャネルＳＣごとに周期的に取得することができる。
【００２０】
なお、グループワーク情報取得部３４は、各グループワーク情報を公知の方法により取得することができる。たとえば、グループワーク情報取得部３４は、参加ユーザの音声データを参加ユーザのクライアント端末２０から取得し、発話時間の長さを発言量として測定することで、参加ユーザの発言量のデータを取得することができる。また、グループワーク情報取得部３４は、参加ユーザがサブチャネルＳＣに関連付けてアップロードした資料やホワイトボートのデータをダウンロードし、または、特定ユーザが閲覧可能となるようにアクセス制御することで、グループで共有している資料やホワイトボートのデータを取得することができる。
【００２１】
表示制御部３５は、グループワーク情報取得部３４により取得された、複数のサブチャネルＳＣの参加ユーザのグループワーク情報を、特定ユーザのクライアント端末１０に同時に表示させる。本実施形態では、表示制御部３５は、サブチャネルＳＣの数に応じて、特定ユーザのクライアント端末１０のディスプレイに表示される画面を分割し、それぞれの分割領域５０に、生徒の発言量データ５１、共有資料やホワイトボートの画像データ５２、チャットのテキストデータ５３を含むグループワーク情報をそれぞれ表示させる。ここで、図４は、特定ユーザのクライアント端末１０において、各サブチャネルのグループワーク情報を同時に表示した画面例を示している。図４に示す例では、４つのサブチャネルＳＣ１〜ＳＣ４における参加ユーザのグループワーク情報をＲＯＯＭ１〜４として同時に表示させている。そして、表示制御部３５は、図４に示すように、サブチャネルＳＣ１〜ＳＣ４の数に応じて、特定ユーザのクライアント端末１０のディスプレイに表示される画面を４つに分割し、それぞれの分割領域５０１〜５０４に、各生徒の発言量データ５１１〜５１４、グループで共有している資料やホワイトボートのデータ５２１〜５２４、および、チャットのデータ５３１〜５３４をそれぞれ表示させる。
【００２２】
これにより、特定ユーザは、クライアント端末１０に同時表示される各サブチャネルＳＣのグループワーク情報に基づいて、各サブチャネルＳＣにおいて参加ユーザが活発に議論しているか、退屈している参加ユーザや発言量が少ない参加ユーザがいないかなどを、サブチャネルＳＣにそれぞれアクセスすることなく、一括して同時に把握することが可能となる。
【００２３】
次に、本実施形態に係る会議支援システム１により会議支援処理について説明する。図５は、本実施形態に係る会議支援システム１の会議支援処理を示すフローチャートである。
【００２４】
まず、ステップＳ１０１では、サーバー装置３０の共通チャネル生成部３１により、共通チャネルＣＣの生成が行われる。これにより、特定ユーザおよび参加ユーザは、ログイン後、共通チャネルＣＣにアクセスし、共通チャネルＣＣ内において、全員での授業、研修、会議などを行うことができる。
【００２５】
ステップＳ１０２では、サーバー装置３０のサブチャネル生成機能により、サブチャネルＳＣの生成が行われる。サブチャネル生成機能は、たとえば、特定ユーザがクライアント端末１０からサブチャネルＳＣの生成を指示することで、当該指示に基づいて、サブチャネルＳＣを生成することができる。また、サブチャネル生成機能は、所定の規則に基づいて、サブチャネルＳＣを生成する構成とすることもできる。
【００２６】
ステップＳ１０３では、サーバー装置３０のアクセス制御部３３により、参加ユーザのクライアント端末２０をグループ化する処理が行われる。たとえば、アクセス制御部３３は、ステップＳ１０２で生成したサブチャネルＳＣのＩＤと、参加ユーザのＩＤとの関連付けることで、参加ユーザのクライアント端末２０を、サブチャネルＳＣごとにグループ化することができる。
【００２７】
グループ化された参加ユーザは、関連付けされたサブチャネルＳＣにアクセスすることが可能となり、当該サブチャネルＳＣにおいて、他の参加ユーザとともにグループワークなどを行うことが可能となる。参加ユーザは、各サブチャネルＳＣにおいて、当該サブチャネルＳＣに所属する他の参加ユーザとともに、互いに会話し、資料やホワイトボードを共有し、チャットすることで、グループワークを進めることができる。
【００２８】
ステップＳ１０４では、サーバー装置３０のグループワーク情報取得部３４により、各サブチャネルＳＣにおける参加ユーザのグループワークの状況を示すグループワーク情報の取得が行われる。本実施形態において、グループワーク情報取得部３４は、各サブチャネルＳＣにおいて、参加ユーザの発言データに基づく参加ユーザの発言量のデータ、共有している資料やホワイトボートのデータ、チャットに関するデータを、各サブチャネルＳＣにおける参加ユーザのグループワーク情報として取得する。
【００２９】
ステップＳ１０５では、サーバー装置３０の表示制御部３５により、ステップＳ１０４で取得された各サブチャネルのグループワーク情報が、特定ユーザのクライアント端末１０に同時表示させるための処理が行われる。本実施形態では、表示制御部３５が、図４に示すように、サブチャネルＳＣの数に応じて、特定ユーザのクライアント端末１０のディスプレイに表示される画面を分割するとともに、各分割領域５０に、各参加ユーザの発言量５１、共有している資料やホワイトボートのデータ５２、チャットに関するデータ５３を、各サブチャネルＳＣにおける参加ユーザのグループワーク情報として表示する画面データを生成し、特定ユーザのクライアント端末１０に、生成した画面データを送信することで、特定ユーザのクライアント端末１０に、各サブチャネルＳＣにおける参加ユーザのグループワーク情報を同時に表示させることができる。
【００３０】
ステップＳ１０６では、サーバー装置３０により、グループワークを終了するか否かの判断が行われる。たとえば、サーバー装置３０は、特定ユーザから指示があった場合、または、一定時間が経過した場合に、グループワークを終了すると判断し、ステップＳ１０７に進む。一方、グループワークを終了しないと判断した場合は、ステップＳ１０４に戻り、最新のサブチャネルＳＣのグループワーク情報が取得され（ステップＳ１０４）、特定ユーザのクライアント端末に同時表示（ステップＳ１０５）する処理が繰り返される。
【００３１】
ステップＳ１０６においてグループワークを終了すると判断された場合は、サーバー装置３０のアクセス制御部３３により、ステップＳ１０７において、参加ユーザを共通チャネルＣＣに戻す処理が行われる。たとえば、アクセス制御部３３は、参加ユーザのクライアント端末２０を共通チャネルＣＣにアクセス可能に設定するとともに、参加ユーザのクライアント端末２０とサブチャネルＳＣとの接続を切断し、複数のサブチャネルＳＣを消去する処理を行うことができる。
【００３２】
以上のように、本実施形態に係る会議支援システムでは、複数のサブチャネルＳＣにおける参加ユーザのグループワーク情報を取得し、特定ユーザのクライアント端末１０に同時に表示することで、特定ユーザに、それぞれのサブチャネルＳＣにアクセスすることなく、複数のサブチャネルＳＣにおける参加ユーザのグループワークの状況を適切に把握させることができる。これにより、特定ユーザは、クライアント端末１０に同時表示される各サブチャネルＳＣのグループワーク情報に基づいて、各サブチャネルＳＣにおいて参加ユーザが活発に議論しているか、退屈している参加ユーザや発言量が少ない参加ユーザがいないかなどを、各サブチャネルＳＣにアクセスすることなく、一括して把握することが可能となる。
【００３３】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【００３４】
たとえば、上述した実施形態では、サーバー装置３０が複数のサブチャネルＳＣのグループワーク情報を、特定ユーザのクライアント端末１０に同時に表示させるためのプログラムを有しており、特定ユーザのクライアント端末１０は、サーバー装置３０にアクセスすることで、サーバー装置３０のプログラムにより生成された複数のサブチャネルＳＣのグループワーク情報が表示された画面データを、特定ユーザのクライアント端末１０のディスプレイに表示する、いわゆるシンクライアントの構成を例示した。しかしながら、この構成に限定されず、特定ユーザのクライアント端末１０が、複数のサブチャネルＳＣのグループワーク情報をサーバー装置３０から取得し、複数のサブチャネルＳＣのグループワーク情報を同時に表示するプログラムを有する、いわゆるファットクライアントの構成としてもよい。
【００３５】
また、上述した実施形態では、特定ユーザのクライアント端末１０に表示される、複数のサブチャネルのグループワーク情報として、参加ユーザの発言量データ５１１〜５１４、共有資料やホワイトボートの画像データ５２１〜５２４、および、チャットのテキストデータ５３１〜５３４をそれぞれ表示させる構成を例示したが、これに限定されず、たとえば参加ユーザの顔画像などを表示してもよい。
【符号の説明】
【００３６】
１…会議支援システム
１０…特定ユーザのクライアント端末
２０（２０１〜２０ｎ）…参加ユーザのクライアント端末
３０…サーバー装置
４０…ネットワーク
【要約】
【課題】特定ユーザに２以上のグループのグループワークの状況を一括して把握させることができる、会議支援システム、会議支援プログラムおよび会議支援方法を提供する。
【解決手段】特定ユーザおよび参加ユーザのクライアント端末が共通してアクセス可能な共通チャネルを生成する共通チャネル生成手段３１と、複数の参加ユーザが所定のグループごとにグループワークを行うための、複数のサブチャネルを生成するサブチャネル生成手段３２と、複数の参加ユーザのクライアント端末２０を、複数のサブチャネルのいずれかにそれぞれ対応付けてグループ化し、対応するサブチャネルにアクセス可能とするアクセス制御手段３３と、各サブチャネルにおける複数の参加ユーザによるグループワークの状況を示すグループワーク情報を取得するグループワーク情報取得手段３４と、複数のサブチャネルにおける複数のグループワーク情報を、特定ユーザのクライアント端末１０に同時に表示させる表示制御手段３５と、を有する。
【選択図】図１【図１】
0006604679.tif 000002
【図２】
0006604679.tif 000003
【図３】
0006604679.tif 000004
【図４】
0006604679.tif 000005
【図５】
0006604679.tif 000006